(57)【要約】【課題】クローズドサブスクライバグループ（ＣＳＧ）サブスクリプションの終了後にデタッチ手順を処理する装置、システム、及び方法を提供する。【解決手段】クローズドサブスクライバグループ（ＣＳＧ）と関連したセルラー基地局を介してサービスネットワークにアタッチされたモバイル通信デバイスであって、緊急サービスが進行中かどうかを判定し、緊急サービスが進行中でない時にだけ、非緊急サービスのデタッチ要求メッセージを開始する制御モジュール、及び前記セルラー基地局を介して前記デタッチ要求メッセージを前記サービスネットワークに送信する無線モジュールを含むモバイル通信デバイス。【選択図】図９
2011254462.tif 000002
【特許請求の範囲】
【請求項１】
クローズドサブスクライバグループ（ＣＳＧ）と関連したセルラー基地局を介してサービスネットワークにアタッチされたモバイル通信デバイスであって、
緊急サービスが進行中かどうかを判定し、緊急サービスが進行中でない時にだけ、非緊急サービスのデタッチ要求メッセージを開始する制御モジュール、及び
前記セルラー基地局を介して前記デタッチ要求メッセージを前記サービスネットワークに送信する無線モジュールを含むモバイル通信デバイス。
【請求項２】
前記制御モジュールによる判定は、
前記通信デバイスによって、前記緊急サービスに用いる確立されたリソースが存在するかどうかを判定し、且つ
前記緊急サービスに用いる確立されたリソースが存在する場合、前記通信デバイスによって、前記緊急サービスが進行中であることを判定する請求項１に記載のモバイル通信デバイス。
【請求項３】
確立されたリソースは、ＰＤＰコンテキスト、ＥＰＳベアラコンテキスト、ＭＢＭＳコンテキスト、または論理リンクを含む請求項１に記載のモバイル通信デバイス。
【請求項４】
モバイル通信デバイスであって、
サービスネットワークのセルラー基地局への、及びセルラー基地局からの無線送受信を行い、前記セルラー基地局は、クローズドサブスクライバグループ（ＣＳＧ）と関連する無線モジュール、及び
前記ＣＳＧのメンバーで設定され、前記サービスネットワークにアタッチされ、前記無線モジュールを介して非緊急サービスだけのデタッチを示すデタッチ要求メッセージを前記セルラー基地局に送信し、且つ前記無線モジュールを介して前記セルラー基地局から、後に続くメッセージの受信に応じて前記非緊急サービスに用いる確立されたリソースだけを解除する制御モジュールを含むモバイル通信デバイス。
【請求項５】
前記後に続くメッセージは、許可されていないＣＳＧのメンバーを示すもう１つのデタッチ要求メッセージである請求項４に記載のモバイル通信デバイス。
【請求項６】
前記制御モジュールは、無線モジュールを介して前記もう１つのデタッチ要求メッセージに対応したデタッチ受付メッセージを前記セルラー基地局に更に送信する請求項５に記載のモバイル通信デバイス。
【請求項７】
前記後に続くメッセージは、前記デタッチ要求メッセージに対応したデタッチ受付メッセージである請求項４に記載のモバイル通信デバイス。
【請求項８】
前記サービスネットワークは、前記デタッチ要求メッセージに対応して前記モバイル通信デバイスが緊急サービス、及び前記ＣＳＧの許可されたメンバーを有するかどうかを判定し、前記緊急サービスを有し、且つ前記ＣＳＧの前記許可されたメンバーを有さない前記モバイル通信デバイスに応じて、前記セルラー基地局を介して、前記後に続くメッセージを前記モバイル通信デバイスに送信する請求項４に記載のモバイル通信デバイス。
【請求項９】
前記サービスネットワークは、前記緊急サービスを有し、且つ前記ＣＳＧの前記許可されたメンバーを有さない前記モバイル通信デバイスに応じて、前記非緊急サービスに用いる前記確立されたリソースだけを更に解除する請求項８に記載のモバイル通信デバイス。
【請求項１０】
前記確立されたリソースは、ＰＤＰコンテキスト、回線交換呼、マルチメディアブロードキャスト／マルチキャストサービス（ＭＢＭＳ）コンテキスト、または論理リンクを含む請求項４に記載のモバイル通信デバイス。
【請求項１１】
セルラー基地局を介してモバイル通信デバイスからデタッチ要求メッセージを受信し、クローズドサブスクライバグループ（ＣＳＧ）と関連するトランシーバモジュール、及び
前記デタッチ要求メッセージに応じて、前記モバイル通信デバイスが緊急サービス、及び前記ＣＳＧの許可されたメンバーを有するかどうかを判定し、且つ前記緊急サービスを有して前記ＣＳＧの前記許可されたメンバーを有さない前記モバイル通信デバイスに応じて非緊急サービスに用いる確立されたリソースだけを局部的に解除するか、またはシグナル送信を開始することで解除する制御モジュールを含むサービスネットワーク内にある制御ノード。
【請求項１２】
前記トランシーバモジュールは、前記緊急サービスを有し、且つ前記ＣＳＧの前記許可されたメンバーを有さない前記モバイル通信デバイスに応じて、前記セルラー基地局を介して、前記後に続くメッセージを前記モバイル通信デバイスに更に送信する請求項１１に記載の制御ノード。
【請求項１３】
前記後に続くメッセージは、許可されていないＣＳＧのメンバーを示すもう１つのデタッチ要求メッセージであり、前記トランシーバモジュールは、前記セルラー基地局を介して前記モバイル通信デバイスから前記もう１つのデタッチ要求メッセージに対応してデタッチ受付メッセージを更に受信する請求項１２に記載の制御ノード。
【請求項１４】
前記後に続くメッセージは、前記デタッチ要求メッセージに対応したデタッチ受付メッセージである請求項１２に記載の制御ノード。
【請求項１５】
前記確立されたリソースは、回線交換タイプ、ＰＤＰコンテキスト、マルチメディアブロードキャスト／マルチキャストサービス（ＭＢＭＳ）コンテキスト、または論理リンクを含む請求項１１に記載の制御ノード。
【発明の詳細な説明】
【技術分野】
【０００１】
本発明は、デタッチ（ｄｅｔａｃｈｍｅｎｔ）手順に関し、特に、緊急サービスのリソースがまだ存在している時に、クローズドサブスクライバグループ（ＣＳＧ：ｃｌｏｓｅｄ  ｓｕｂｓｃｒｉｂｅｒ  ｇｒｏｕｐ）サブスクリプション（ｓｕｂｓｃｒｉｐｔｉｏｎ）の終了後に非緊急サービスだけを用いるデタッチ手順に関するものである。
【背景技術】
【０００２】
一般的なモバイル通信環境において、ユーザー端末（ＵＥ）は、音声及び／またはデータ信号をサービスネットワークのセルラー基地局を介して１つ以上のサービスネットワークと通信させ得る。ユーザー端末とサービスネットワーク間の無線通信は、例えば、グローバルシステムフォーモバイルコミュニケーションズ（Ｇｌｏｂａｌ  Ｓｙｓｔｅｍ  ｆｏｒ  Ｍｏｂｉｌｅ  ｃｏｍｍｕｎｉｃａｔｉｏｎｓ；ＧＳＭ）技術、汎用パケット無線サービス（Ｇｅｎｅｒａｌ  Ｐａｃｋｅｔ  Ｒａｄｉｏ  Ｓｅｒｖｉｃｅ；ＧＰＲＳ）技術、グローバル進化型高速データレート（Ｅｎｈａｎｃｅｄ  Ｄａｔａ  ｒａｔｅｓ  ｆｏｒ  Ｇｌｏｂａｌ  Ｅｖｏｌｕｔｉｏｎ；ＥＤＧＥ）技術、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ；ＷＣＤＭＡ）技術、符号分割多元接続２０００（Ｃｏｄｅ  Ｄｉｖｉｓｉｏｎ  Ｍｕｌｔｉｐｌｅ  Ａｃｃｅｓｓ  ２０００；ＣＤＭＡ  ２０００）技術、時分割同期符号多元接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ；ＴＤ−ＳＣＤＭＡ）技術、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ；ＷｉＭＡＸ）技術、及びロングタームエボリューション（Ｌｏｎｇ  Ｔｅｒｍ  Ｅｖｏｌｕｔｉｏｎ；ＬＴＥ）技術など種々の無線通信技術に準拠し得る。
【０００３】
３ＧＰＰ仕様ＴＳ２４．００８ｖ．９．１．０（以下仕様ＴＳ２４．００８として称される）、及び３ＧＰＰ仕様ＴＳ２４．３０１ｖ．９．１．０（以下仕様ＴＳ２４．３０１として称される）に準拠したＷＣＤＭＡ技術を例にとる。ユーザー端末がオンにされ、ＷＣＤＭＡまたはＬＴＥシステムに接続した後、アタッチ手順を実行して、それ自体をＷＣＤＭＡまたはＬＴＥシステムに登録（ｒｅｇｉｓｔｅｒ）する必要があるため、ＷＣＤＭＡまたはＬＴＥシステムからモバイル通信サービスを得ることが可能となる。図１に示されるように、アタッチ手順は、アタッチ要求（ＡＴＴＡＣＨ  ＲＥＱＵＥＳＴ）メッセージをＷＣＤＭＡまたはＬＴＥシステムに送信するユーザー端末によって開始する（ステップＳ１１０）。アタッチ要求メッセージを受信した時、ＷＣＤＭＡまたはＬＴＥシステムは、ユーザー端末を認証し、ユーザー端末がモバイル通信サービスにアクセスするように許可されるかどうかをチェックし、セキュリティモード制御手順を実行して、接続内の後に続くメッセージの暗号化を有効にする（ステップＳ１２０）。チェックの失敗がなければ、ＷＣＤＭＡまたはＬＴＥシステムは、アタッチ受付（ＡＴＴＡＣＨ  ＡＣＣＥＰＴ）メッセージをユーザー端子に送信することによってアタッチ要求を受け入れる（ステップＳ１３０）。具体的に言えば、アタッチ受付メッセージは、モバイル通信サービスに用いるリソースを有効にする設定情報を含む。アタッチ受付メッセージに応じて、ユーザー端子は、設定情報に基づいてモバイル通信サービスに用いるリソースを確立し（ステップＳ１４０）、アタッチ完了（ＡＴＴＡＣＨ  ＣＯＭＰＬＥＴＥ）メッセージをＷＣＤＭＡまたはＬＴＥシステムに送信し（ステップＳ１５０）、アタッチ受付メッセージが受信されたことを確認する。アタッチ完了メッセージがうまく受信された場合、アタッチ手順は完了し、モバイル通信サービスがユーザー端末に提供され得る。
【０００４】
その後、デタッチ手順は、ＷＣＤＭＡまたはＬＴＥシステムからユーザー端末を登録解除するように開始され得る。ユーザー端末は、例えば、ユーザー端末のスイッチオフ、汎用加入者識別モジュール（ＵＳＩＭ）カードの除去、またはユーザー端末の無線モジュールの無効化などの理由のためにデタッチ手順を開始し得る。または、ユーザー端末は、ユーザー端末がパケットデータサービスにアクセスしないもう１つのＷＣＤＭＡまたはＬＴＥシステムに引き渡され、ＷＣＤＭＡまたはＬＴＥシステムがデタッチ手順を開始してもよい。図２は、ユーザー端末によって開始されるデタッチ手順を示しているメッセージシーケンス図である。ユーザー端末は、まず、デタッチ要求メッセージをＷＣＤＭＡまたはＬＴＥシステムに送信し、モバイル通信サービスに対してＷＣＤＭＡまたはＬＴＥシステムからユーザー端末を登録解除する（ステップＳ２１０）。デタッチ要求メッセージを受信した時、ＷＣＤＭＡまたはＬＴＥシステムは、モバイル通信サービスに用いる全ての確立されたリソースを局部的に解除する（ステップＳ２２０）。次いで、ＷＣＤＭＡまたはＬＴＥシステムは、デタッチ受付メッセージをユーザー端末に送信してデタッチ要求が受け入れられたことを通知する（ステップＳ２３０）。デタッチ要求メッセージが受信された後、ユーザー端子は、それに応じてモバイル通信サービスに用いる確立されたリソースを解除し、デタッチ手順が終了する（ステップＳ２４０）。
【発明の概要】
【発明が解決しようとする課題】
【０００５】
クローズドサブスクライバグループ（ＣＳＧ）サブスクリプションの終了後にデタッチ手順を処理する装置、システム、及び方法を提供する。
【課題を解決するための手段】
【０００６】
本発明のもう１つの態様では、モバイル通信デバイスが開示され、非緊急サービスに用いる、クローズドサブスクライバグループ（ＣＳＧ）と関連したセルラー基地局を介してサービスネットワークにアタッチされ、制御モジュール及び無線モジュールを含む。制御モジュールは、緊急サービスが進行中かどうかを判定し、緊急サービスが進行中でない時にだけ、セルラー基地局を介してサービスネットワークへの非緊急サービスのデタッチ要求メッセージを開始する。無線モジュールは、セルラー基地局を介してデタッチ要求メッセージをサービスネットワークに送信する。
【０００７】
本発明の１つの態様では、無線モジュール及び制御モジュールを含むモバイル通信デバイスが提供される。無線モジュールは、サービスネットワークのセルラー基地局への、及び基地局からの無線送受信を行い、セルラー基地局は、ＣＳＧと関連する。制御モジュールは、有効期間を得るようにＣＳＧのメンバーで設定され、非緊急サービス及び緊急サービスを得るように、サービスネットワークにアタッチされる。制御モジュールは、有効期間が経過した後、無線モジュールを介して非緊急サービスだけのデタッチを示すデタッチ要求メッセージをセルラー基地局に送信し、無線モジュールを介してセルラー基地局から、後に続くメッセージの受信に応じて非緊急サービスに用いる確立されたリソースだけを解除する。
【０００８】
本発明のもう１つの態様では、モバイル通信デバイスによるＣＳＧサブスクリプションの終了後にデタッチ手順を処理する方法が提供される。具体的に言えば、モバイル通信デバイスは、非緊急サービス及び緊急サービスを得るように、セルラー基地局を介してサービスネットワークにアタッチされ、セルラー基地局は、ＣＳＧと関連する。前記方法は、先のＣＳＧの許可されたメンバーの終了後に、非緊急サービスだけのデタッチを示すデタッチ要求メッセージを送信し、セルラー基地局を介してサービスネットワークからデタッチ要求メッセージに対応して後に続くメッセージを受信し、且つ後に続くメッセージに応じて非緊急サービスに用いる確立されたリソースだけを解除するステップを含む。
【０００９】
本発明のまたもう１つの態様では、トランシーバモジュール及び制御モジュールを含む、サービスネットワーク内にある制御ノードが提供される。トランシーバモジュールは、セルラー基地局を介してモバイル通信デバイスからデタッチ要求メッセージを受信し、ＣＳＧと関連する。制御モジュールは、デタッチ要求メッセージに応じて、モバイル通信デバイスが緊急サービス、及びＣＳＧの許可されたメンバーを有するかどうかを判定し、且つ緊急サービスを有してＣＳＧの許可されたメンバーを有さないモバイル通信に応じて非緊急サービスに用いる確立されたリソースだけを解除する。
【００１０】
本発明のまたもう１つの態様では、サービスネットワークによるＣＳＧサブスクリプションの終了後にデタッチ手順を処理する方法が提供される。前記方法は、ＣＳＧと関連したセルラー基地局を介してモバイル通信デバイスから、非緊急サービスだけのデタッチを示すデタッチ要求メッセージを受信し、モバイル通信デバイスが非緊急サービス及び緊急サービスにアタッチされるかどうかを判定し、且つモバイル通信デバイスがデタッチ要求メッセージに応じて、ＣＳＧの許可されているメンバーを有するかどうか判定し、非緊急サービス及び緊急サービスにアタッチされており、且つＣＳＧの許可されたメンバーを有さないモバイル通信デバイスに応じて非緊急サービスに用いる確立されたリソースだけを局部的に解除するステップを含む。
【００１１】
本発明の他の態様及び特徴は、ＣＳＧサブスクリプションの終了後にデタッチ手順を処理する装置、システム、及び方法の特定の実施の形態の以下の説明を検討後は当業者により明白となるであろう。
【図面の簡単な説明】
【００１２】
本発明は、添付の図面と併せて後に続く詳細な説明と実施例を解釈することによって、より完全に理解されることができる。
【図１】サービスネットワークにユーザー端末によって実行されるアタッチ手順を示しているメッセージシーケンス図である。
【図２】ユーザー端末によって開始されるデタッチ手順を示しているメッセージシーケンス図である。
【図３】本発明の実施の形態に基づくモバイル通信環境を示しているブロック図である。
【図４】本発明の実施の形態に基づくデタッチ手順を示しているメッセージシーケンス図である。
【図５】本発明の実施の形態に基づくデタッチ手順を示しているメッセージシーケンス図である。
【図６】本発明の実施の形態に基づくモバイル通信デバイスによるＣＳＧサブスクリプションの終了後にデタッチ手順を処理する方法を示している流れ図である。
【図７】本発明の実施の形態に基づくサービスネットワークによるＣＳＧサブスクリプションの終了後にデタッチ手順を処理する方法を示している流れ図である。
【図８】本発明の実施の形態に基づくデタッチ手順を図示するメッセージシーケンス図である。
【図９】本発明の実施の形態に基づくサービスネットワークによるＣＳＧサブスクリプションの終了後にデタッチ手順を処理する方法９を示している流れ図である。
【発明を実施するための形態】
【００１３】
以下の説明は、本発明を実施するベストモードが開示されている。この説明は、本発明の一般原理を例示する目的のためのもので本発明を限定するものではない。３ＧＰＰ仕様は、本発明の精神の教示に用いられるものであり、本発明を限定するものではない。
【００１４】
ＷＣＤＭＡまたはＬＴＥシステムは、通常、住宅または小企業環境用に設計されたフェムトセルを含むことができ、且つＷＣＤＭＡまたはＬＴＥ技術を用いてユーザー端末に無線カバレッジを提供し、ユーザー端末及びバックホール（ｂａｃｋｈａｕｌ）に用いる存在する広帯域インターネット接続（例えばデジタル加入者線（ＤＳＬ）、ケーブルなど）と接続し得る。クローズドモードで設定された時、フェムトセルは、制限されたセットのユーザー端末へのアクセスだけを提供し、制限されたセットは、ＣＳＤと称されてもよい。フェムトセルと関連したＣＳＧは、フェムトセルの設定過程中に設定され、そのＣＳＧ  アイデンティティ（ＣＳＧ  ＩＤ）によって表示される。通信事業者は、ＣＳＧ  ＩＤ値をネットワーク全体に割り当て、複数のフェムトセルは、同じＣＳＧの一部でもよい。例えば、この場合、同じＣＳＧ  ＩＤが割り当てられる。ＣＳＧセルが属するＣＳＧの許可されたメンバーの場合、ユーザー端末は、ＣＳＧセルからモバイル通信サービスだけ得る可能性がある。ＣＳＧの詳細の説明に関しては、３ＧＰＰ仕様ＴＳ２５．３６７ｖ．９．１．０（以下仕様ＴＳ２５．３６７として称される）を参照してもよい。注意するのは、非緊急サービス及び緊急サービスを含むモバイル通信サービスを得るように、ユーザー端末がＣＳＧセルを介して、ＷＣＤＭＡまたはＬＴＥシステムにアタッチされる場合に、ユーザー端末が、ＣＳＧセルが属するＣＳＧの許可されたメンバーの終了後に非緊急サービスだけをデタッチするデタッチ手順を開始した時、ＷＣＤＭＡまたはＬＴＥシステムは、ユーザー端末に全てのモバイル通信サービス、即ち、非緊急サービス及び緊急サービスをデタッチするように要求する。よって、進行中の緊急電話は、切断され、もう１つの緊急通話を開始するのに時間が掛かる可能性がある。緊急サービス及び非緊急サービスの両方ともベアラサービスまたはテレサービスであり得、回線交換（Ｃｉｒｃｕｉｔｅｄ  Ｓｗｉｔｃｈｅｄ：ＣＳ）またはパケット交換（Ｐａｃｋｅｔ  Ｓｗｉｔｃｈｅｄ：ＰＳ）タイプのサービスでもよい。１つの実施例では、緊急サービスは、回線交換呼及びテレサービスであり得る。もう１つの実施例では、緊急サービスは、ＩＭＳ呼、且つベアラサービスである。
【００１５】
図３は、本発明の実施の形態に基づくモバイル通信環境を示しているブロック図である。モバイル通信環境３００では、モバイル通信デバイス３１０は、サービスネットワーク３２０に無線接続され、モバイル通信サービスを得る。サービスネットワーク３２０は、セルラー基地局３２１及び制御ノード３２２を含み、セルラー基地局３２１は、制御ノード３２２によって制御され、サービスネットワーク３２０の無線送受信の機能を実行する。特に、セルラー基地局３２１は、ＣＳＧと関連し、ＣＳＧセルを形成してＣＳＧのユーザー端末のメンバーに対して無線アクセスを提供する、ホームノードＢ（Ｈｏｍｅ  Ｎｏｄｅ  Ｂ；ＨＮＢ）またはホーム拡張ノードＢ（Ｈｏｍｅ  ｅｎｈａｎｃｅｄ  Ｎｏｄｅ  Ｂ；ＨｅＮＢ）であり得る。制御ノード３２２は、コアネットワーク３２３に更に接続され、公衆電話網（Ｐｕｂｌｉｃ  Ｓｗｉｔｃｈｅｄ  Ｔｅｌｅｐｈｏｎｅ  Ｎｅｔｗｏｒｋ；ＰＳＴＮ）などの外部ネットワークと接続し（ｉｎｔｅｒｆａｃｉｎｇ）し、且つインターネットなどのインターネットプロトコルベース（ＩＰ）のネットワークと接続する。モバイル通信デバイス３１０は、無線モジュール３１１を含み、セルラー基地局３２１への無線送信及びセルラー基地局３２１からの無線受信の機能を実行する。更に明確にするために、無線モジュール３１１は、ベースバンドユニット（図示されていない）及び無線周波数（ＲＦ）ユニット（図示されていない）を含んでもよい。ベースバンドユニットは、複数のハードウェアを含んで、アナログデジタル変換（ＡＤＣ）／デジタルアナログ変換（ＤＡＣ）、ゲイン調整、変調／復調、エンコーディング／デコーディングなどを含むベースバンド信号処理を行う。ＲＦユニットは、ＲＦ無線信号を受信して、受信したＲＦ無線信号をベースバンドユニットによって処理されるベースバンド信号に変換するか、またはベースバンドユニットからベースバンド信号を受信して、受信したベースバンド信号を後に送信されるＲＦ無線信号に変換し得る。ＲＦユニットは、無線周波数変換を行う複数のハードウェアデバイスも含み得る。例えば、ＲＦユニットは、ベースバンド信号を無線通信システムの無線周波数で振動するキャリアと乗算するミキサを含んでもよく、無線周波数は、ＷＣＤＭＡシステムに用いられる９００ＭＨｚ、１９００ＭＨｚ、または２１００ＭＨｚであり得るか、またはＬＴＥシステムに用いられる９００ＭＨｚ、２１００ＭＨｚ、または２．６ＧＨｚであり得るか、または用いられている無線アクセス技術（ＲＡＴ）に対応するものでもよい。また、モバイル通信デバイス３１０は、無線モジュール３１１及び他の機能的な構成要素（例えばＭＭ１（マンマシンインターフェース）としての機能を果たすディスプレイユニット及び／またはキーパッドなど）、アプリケーションのプログラムコードを記憶する記憶装置、または技術などの動作を制御する制御モジュール３１２含む。この実施の形態では、サービスネットワーク３２０は、ＷＣＤＭＡシステムであり得、モバイル通信デバイス３１０は、ＴＳ２４．００８仕様及びＷＣＤＭＡ技術の他の関連した仕様に準拠したユーザー端末でもよい。また、もう１つの実施の形態では、サービスネッ��ワーク３２０は、ＬＴＥシステムであり得、モバイル通信デバイス３１０は、ＴＳ２４．３０１仕様及びＬＴＥ技術の他の関連した仕様に準拠したユーザー端末でもよい。また、モバイル通信デバイス３１０は、ＷＣＤＭＡ及びＬＴＥ技術の両方の仕様に準拠したユーザー端末でもよく、本発明はこれを限定するものではない。緊急サービス及び非緊急サービスの両方ともベアラサービスまたはテレサービスであり得、回線交換またはパケット交換タイプのサービスでもよい。１つの実施例では、緊急サービスは、回線交換呼及びテレサービスであり得る。もう１つの実施例では、緊急サービスは、ＩＭＳ呼、且つベアラサービスである。
【００１６】
より具体的に言えば、制御モジュール３１２は、セルラー基地局３２１を介してサービスネットワーク３２０とデタッチ手順を実行するために、無線モジュール３１１を制御する。図４は、本発明の実施の形態に基づくデタッチ手順を示しているメッセージシーケンス図である。まず、本実施の形態では、モバイル通信デバイス３１０は、非緊急サービス及び緊急サービスの両方のためにセルラー基地局３２１を介してサービスネットワーク３２０にアタッチされ、セルラー基地局３２１は、ＣＳＧのメンバーに対して無線アクセスだけを提供するＣＳＧと関連する。即ち、サービスネットワーク３２０にアタッチした時、モバイル通信デバイス３１０は、有効期間を有するＣＳＧの許可されたメンバーを既に有する。デタッチ手順を開始するには、制御モジュール３１２は、無線モジュール３１１を介して非緊急サービスだけのデタッチを示すデタッチ要求メッセージをセルラー基地局３２１に送信する（ステップＳ４１０）。具体的に言えば、デタッチ要求メッセージは送信される。１つの実施の形態において、サービスネットワーク３２０は、ネットワーク運用モード１（Ｎｅｔｗｏｒｋ  Ｍｏｄｅ  ｏｆ  Ｏｐｅｒａｔｉｏｎ１；ＮＭＯ−１）で動作するＷＣＤＭＡシステムでもよく、デタッチ要求メッセージは、“ＩＭＳＩデタッチ”に設定したデタッチタイプインジケータ（ｉｎｄｉｃａｔｏｒ）を含み、パワーオフインジケータ（ｉｎｄｉｃａｔｉｏｎ）を含まなくてもよい。もう１つの実施の形態では、サービスネットワーク３２０は、ＬＴＥシステムでもよく、デタッチ要求メッセージは、パワーオフビット及びデタッチタイプインジケータも含んでもよい。パワーオフビットは、“通常の（ｎｏｒｍａｌ）デタッチ”に設定され、デタッチタイプインジケータは、“ＩＭＳＩデタッチ”に設定される。デタッチ要求メッセージを受信した時、制御ノード３２２は、モバイル通信デバイス３１０が非緊急サービス及び緊急サービスの両方にアタッチされるかどうかを判定し、モバイル通信デバイス３１０がＣＳＧの許可されたメンバーを有するかどうか（即ち、先のＣＳＧの許可されたメンバーがまだ有効かどうか）を判定する（ステップＳ４２０）。まだ有効である場合、制御ノード３２２は、デタッチ要求を受け入れ、非緊急サービスに用いる確立されたリソースだけを局部的に解除する（ステップＳ４３０）。確立されたリソースは、非緊急サービスに用いるパケットデータプロトコル（ＰＤＰ）コンテキスト、マルチメディアブロードキャスト／マルチキャストサービス（Ｍｕｌｔｉｍｅｄｉａ  Ｂｒｏａｄｃａｓｔ  Ｍｕｌｔｉｃａｓｔ  Ｓｅｒｖｉｃｅｓ；ＭＢＭＳ）コンテキスト、及び論理リンク（ｌｏｇｉｃａｌ  ｌｉｎｋ）を含んでもよい。次いで、制御ノード３２２は、デタッチ受付メッセージをモバイル通信デバイス３１０に送信する（ステップＳ４４０）。デタッチ受付メッセージに応じて、制御モジュール３１２は、非緊急サービスに用いる確立されたリソースだけを局部的に解除し（ステップＳ４５０）、デタッチ手順が終了する。よって、緊急サービスは、継続され得る。
【００１７】
図５は、本発明の実施の形態に基づくデタッチ手順を示しているメッセージシーケンス図である。図４と同様に、モバイル通信デバイス３１０は、非緊急サービス及び緊急サービスの両方のためにセルラー基地局３２１を介してサービスネットワーク３２０にアタッチされ、セルラー基地局３２１は、ＣＳＧのメンバーに対して無線アクセスだけを提供するＣＳＧと関連する。即ち、サービスネットワーク３２０にアタッチした時、モバイル通信デバイス３１０は、有効期間を有するＣＳＧの許可されたメンバーを既に有する。デタッチ手順を開始するには、制御モジュール３１２は、無線モジュール３１１を介して非緊急サービスだけのデタッチを示すデタッチ要求メッセージをセルラー基地局３２１に送信する（ステップＳ５１０）。具体的に言えば、デタッチ要求メッセージは送信される。１つの実施の形態において、サービスネットワーク３２０は、ネットワーク運用モード１（ＮＭＯ−１）で動作するＷＣＤＭＡシステムでもよく、デタッチ要求メッセージは、“ＩＭＳＩデタッチ”に設定したデタッチタイプインジケータを含み、パワーオフ表示を含まなくてもよい。もう１つの実施の形態では、サービスネットワーク３２０は、ＬＴＥシステムでもよく、デタッチ要求メッセージは、パワーオフビット及びデタッチタイプインジケータも含んでもよい。パワーオフビットは、“通常の（ｎｏｒｍａｌ）デタッチ”に設定され、デタッチタイプインジケータは、“ＩＭＳＩデタッチ”に設定される。デタッチ要求メッセージを受信した時、制御ノード３２２は、モバイル通信デバイス３１０が非緊急サービス及び緊急サービスの両方にアタッチされるかどうかを判定し、モバイル通信デバイス３１０がＣＳＧの許可されたメンバーを有するかどうか（即ち、先のＣＳＧの許可されたメンバーがまだ有効かどうか）を判定する（ステップＳ５２０）。まだ有効である場合、制御ノード３２２は、セルラー基地局３２１を介してＣＳＧの許可されたメンバーを示すもう１つのデタッチ要求メッセージをモバイル通信デバイス３１０に送信する（ステップＳ５３０）。具体的に言えば、デタッチ要求メッセージは、“このＣＳＧに許可されない”に設定されたＧＰＲＳ移動体マネジメント（ＧＰＲＳ  Ｍｏｂｉｌｉｔｙ  Ｍａｎａｇｅｍｅｎｔ；ＧＭＭ）の原因インジケータ（ｃａｕｓｅ  ｉｎｄｉｃａｔｏｒ）を含み得る。次いで制御ノード３２２は、非緊急サービスに用いる確立されたリソースだけを局部的に解除する（ステップＳ５４０）。確立されたリソースは、非緊急サービスに用いる回線交換呼、ＰＤＰコンテキスト、ＭＢＭＳコンテキスト、及び論理リンクを含んでもよい。サービスネットワーク３２０からのデタッチ要求メッセージに応じて、制御モジュール３１２は、非緊急サービスに用いる確立されたリソースだけを局部的に解除し（ステップＳ５５０）、次いで、無線モジュール３１１を介してデタッチ受付メッセージをサービスネットワーク３２０に送信する（ステップＳ５６０）。デタッチ手順は、サービスネットワーク３２０がデタッチ受付メッセージの受信を成功した時、終了する。よって、緊急サービスは、継続され得る。緊急サービス及び非緊急サービスの両方ともベアラサービスまたはテレサービスであり得、回線交換（ＣＳ）またはパケット交換（ＰＳ）タイプのサービスでもよい。１つの実施例では、緊急サービスは、回線交換呼及びテレサービスであり得る。もう１つの実施例では、緊急サービスは、ＩＭＳ呼、且つベアラサービスである。
【００１８】
図６は、本発明の実施の形態に基づくモバイル通信デバイスによるＣＳＧサブスクリプションの終了後にデタッチ手順を処理する方法を示している流れ図である。この実施の形態では、モバイル通信デバイスは、まず、非緊急サービス及び緊急サービスの両方のために、サービスネットワークのセルラー基地局を介してサービスネットワークにアタッチされ、セルラー基地局３２１は、ＣＳＧのメンバーに対して無線アクセスだけを提供するＣＳＧと関連する。即ち、サービスネットワークにアタッチする前、またはアタッチした時、モバイル通信デバイスは、有効期間を有するＣＳＧの許可されたメンバーを既に有する。その後、デタッチ手順は、モバイル通信デバイスが非緊急サービスだけからデタッチし、緊急サービスを保持したい時に開始される。デタッチ手順を開始するには、モバイル通信デバイスは、先にＣＳＧの許可されたメンバーの終了後に、非緊急サービスだけのデタッチを示すデタッチ要求メッセージを送信する（ステップＳ６１０）。具体的に言えば、許可されたメンバーの有効期間に達した場合、ＣＳＧの許可されているメンバーは、無効（ｅｘｐｉｒｅ）になったものと見なされる。１つの実施の形態では、サービスネットワークは、ＷＣＤＭＡシステムであり得、モバイル通信デバイスは、ＴＳ２４．００８仕様及びＷＣＤＭＡ技術の他の関連した仕様に準拠したユーザー端末でもよい。従って、デタッチ要求メッセージは、パワーオフインジケータ（ｉｎｄｉｃａｔｉｏｎ）のないデタッチ要求メッセージでもよく、“ＩＭＳＩデタッチ”に設定したデタッチタイプインジケータ（ｉｎｄｉｃａｔｏｒ）を含む。もう１つの実施の形態では、サービスネットワークは、ＬＴＥシステムであり得、モバイル通信デバイスは、ＴＳ２４．３０１仕様及びＬＴＥ  技術の他の関連した仕様に準拠したユーザー端末でもよい。従って、デタッチ要求メッセージは、パワーオフビット及びデタッチタイプインジケータを含むデタッチ要求メッセージでもよく、パワーオフビットは、“通常の（ｎｏｒｍａｌ）デタッチ”に設定され、デタッチタイプインジケータは、“ＩＭＳＩデタッチ”に設定される。また、モバイル通信デバイスは、ＷＣＤＭＡ及びＬＴＥ技術の両方の仕様に準拠したユーザー端末でもよく、本発明はこれを限定するものではない。次に、モバイル通信デバイスは、セルラー基地局を介してサービスネットワークからのデタッチ要求メッセージに対応して後に続くメッセージを受信する（ステップＳ６２０）。１つの実施の形態では、後に続くメッセージは、ステップＳ６１０で送信されたデタッチ要求メッセージに対応したデタッチ受付メッセージであり得る。具体的に言えば、サービスネットワークがＷＣＤＭＡシステムまたはＬＴＥシステムの場合、デタッチ受付メッセージは、デタッチ受付メッセージであり得る。もう１つの実施の形態では、後に続くメッセージは、ステップＳ６１０のデタッチ要求メッセージ以外のデタッチ要求メッセージであり得る。具体的に言えば、サービスネットワークがＷＣＤＭＡシステムまたはＬＴＥシステムの場合、デタッチ要求メッセージは、インジケータに“このＣＳＧに許可されない”に設定させる移動体マネジメント（ＧＭＭ）を含み得る。���に続くメッセージに応じて、モバイル通信デバイスは、後に続くメッセージに応じて非緊急サービスに用いる確立されたリソースだけを解除する（ステップＳ６３０）。サービスネットワークでは、これも後に続くメッセージの送信に応じて非緊急サービスに用いる確立されたリソースだけを解除する。具体的に言えば、確立されたリソースは、非緊急サービスに用いるＰＤＰコンテキスト、回線交換呼、ＭＢＭＳコンテキスト、及び論理リンクを含んでもよい。よって、非緊急サービスだけがデタッチされ、緊急サービスは、継続して提供され得る。緊急サービス及び非緊急サービスの両方ともベアラサービスまたはテレサービスであり得、回線交換またはパケット交換タイプのサービスでもよい。１つの実施例では、緊急サービスは、回線交換呼及びテレサービスであり得る。もう１つの実施例では、緊急サービスは、ＩＭＳ呼、且つベアラサービスである。
【００１９】
図７は、本発明の実施の形態に基づくサービスネットワークによるＣＳＧサブスクリプションの終了後にデタッチ手順を処理する方法を示している流れ図である。この実施の形態では、モバイル通信デバイスは、非緊急サービス及び緊急サービスの両方のために、サービスネットワークのセルラー基地局を介してサービスネットワークにアタッチされ、セルラー基地局３２１は、ＣＳＧのメンバーに対して無線アクセスだけを提供するＣＳＧと関連する。即ち、サービスネットワークにアタッチする前、またはアタッチした時、モバイル通信デバイスは、有効期間を有するＣＳＧの許可されたメンバーを既に有する。その後、デタッチ手順は、モバイル通信デバイスが非緊急サービスだけからデタッチし、緊急サービスを保持したい時に開始される。デタッチ手順を開始するには、サービスネットワークは、ＣＳＧセルラー基地局を介してモバイル通信デバイスから、非緊急サービスだけのデタッチを示すデタッチ要求メッセージを受信する（ステップＳ７１０）。１つの実施の形態では、サービスネットワークは、ＷＣＤＭＡシステムであり得、モバイル通信デバイスは、ＴＳ２４．００８仕様及びＷＣＤＭＡ技術の他の関連した仕様に準拠したユーザー端末でもよい。従って、デタッチ要求メッセージは、パワーオフインジケータ（ｉｎｄｉｃａｔｉｏｎ）のないデタッチ要求メッセージでもよく、“ＩＭＳＩデタッチ”に設定したデタッチタイプインジケータ（ｉｎｄｉｃａｔｏｒ）を含む。もう１つの実施の形態では、サービスネットワークは、ＬＴＥシステムであり得、モバイル通信デバイスは、ＴＳ２４．３０１仕様及びＬＴＥ  技術の他の関連した仕様に準拠したユーザー端末でもよい。従って、デタッチ要求メッセージは、パワーオフビット及びデタッチタイプインジケータを含むデタッチ要求メッセージでもよく、パワーオフビットは、“通常の（ｎｏｒｍａｌ）デタッチ”に設定され、デタッチタイプインジケータは、“ＩＭＳＩデタッチ”に設定される。また、モバイル通信デバイスは、ＷＣＤＭＡ及びＬＴＥ技術の両方の仕様に準拠したユーザー端末でもよく、本発明はこれを限定するものではない。次に、サービスネットワークは、モバイル通信デバイスが非緊急サービス及び緊急サービスの両方にアタッチされるかどうかを判定し、モバイル通信デバイスがＣＳＧの許可されたメンバーを有するかどうかを判定する（ステップＳ７２０）。この実施の形態では、モバイル通信デバイスに先にＣＳＧの許可されたメンバーは、サービスネットワークがデタッチ要求メッセージを受信する前に、無効になる（即ち、ＣＳＧの許可されたメンバーの有効期間が経過している）。モバイル通信デバイスが非緊急サービス及び緊急サービスの両方にアタッチされ、ＣＳＧの許可されたメンバーを有さないため、サービスネットワークは、非緊急サービスに用いる確立されたリソースだけを局部的に解除する（ステップＳ７３０）。具体的に言えば、確立されたリソースは、非緊急サービスに用いるＰＤＰコンテキスト、回線交換呼、ＭＢＭＳコンテキスト、及び論理リンクを含んでもよい。よって、非緊急サービスだけがデタッチされ、緊急サービスは、継続して提供され得る。緊急サービス及び非緊急サービスの���方ともベアラサービスまたはテレサービスであり得、回線交換またはパケット交換タイプのサービスでもよい。１つの実施例では、緊急サービスは、回線交換呼及びテレサービスであり得る。もう１つの実施例では、緊急サービスは、ＩＭＳ呼、且つベアラサービスである。
【００２０】
１つの実施の形態では、サービスネットワークは、次いでＣＳＧセルラー基地局を介して、許可されないＣＳＧのメンバーを示すもう１つのデタッチ要求メッセージをモバイル通信デバイスに送信し得るため、モバイル通信デバイスは、デタッチ要求の受信に応じて非緊急サービスに用いる確立されたリソースだけを解除し得る。モバイル通信デバイスは、ＣＳＧセルラー基地局を介して、サービスネットワークに応じてデタッチ受信メッセージを更に送信し、デタッチ手順を終了し得る。具体的に言えば、サービスネットワークがＷＣＤＭＡシステムまたはＬＴＥシステムの場合、デタッチ要求メッセージは、インジケータに“このＣＳＧに許可されない”に設定させる移動体マネジメント（ＧＭＭ）を含んでもよく、デタッチ受付メッセージは、デタッチ受付メッセージでもよい。もう１つの実施の形態では、サービスネットワークは、次いでＣＳＧセルラー基地局を介して、デタッチ受付メッセージをモバイル通信デバイスに送信し得るため、モバイル通信デバイスは、デタッチ要求の受信に応じて非緊急サービスに用いる確立されたリソースだけを解除し、デタッチ手順を終了し得る。
【００２１】
図８は、本発明の実施の形態に基づくデタッチ手順を図示するメッセージシーケンス図である。図４と同様に、モバイル通信デバイス３１０は、非緊急サービス及び緊急サービスの両方のためにセルラー基地局３２１を介してサービスネットワーク３２０にアタッチされ、セルラー基地局３２１は、ＣＳＧのメンバーに対して無線アクセスだけを提供するＣＳＧと関連し得る。即ち、サービスネットワーク３２０にアタッチした時、モバイル通信デバイス３１０は、有効期間を有するＣＳＧの許可されているメンバーを既に有する。緊急サービス及び非緊急サービスの両方ともベアラサービスまたはテレサービスであり得、ＣＳまたはＰＳタイプのサービスでもよい。１つの実施例では、緊急サービスは、回線交換呼及びテレサービスであり得る。もう１つの実施例では、緊急サービスは、ＩＭＳ呼、且つベアラサービスである。１つの実施の形態において、サービスネットワーク３２０は、ネットワーク運用モード１（Ｎｅｔｗｏｒｋ  Ｍｏｄｅ  ｏｆ  Ｏｐｅｒａｔｉｏｎ１；ＮＭＯ−１）で動作するＷＣＤＭＡシステムを含む。即ち、サービスネットワーク３２０は、回線交換（ＣＳ）またはパケット交換（ＰＳ）サービスに用いる同じ論理チャネル（ｌｏｇｉｃａｌ  ｃｈａｎｎｅｌ）にページングメッセージを送信する。緊急及び非緊急サービスは、回線交換（ＣＳ）またはパケット交換（ＰＳ）ベースのサービスであり得る。緊急サービスは、国家または地域（ｎａｔｉｏｎａｌ  ｏｒ  ｌｏｃａｌ）緊急センターで終了する電気通信サービスである。緊急センターの位置情報の提供は、ある国家では強制的な特徴である。ＩＭＳ緊急サービスは、アタッチタイプ“ＧＰＲＳ緊急アタッチ”によってアタッチ手順に示される。回線交換の緊急サービスは、シグナル送信（ｓｉｇｎａｌｉｎｇ）で緊急サービスの要求を示すビットを含み、シグナル送信は、特定の手順を触発し、ダイヤルした番号よりも位置に基づいて伝送する。ＮＭＯ−１では、無線通信デバイス３１０は、回線交換及びパケット交換サービスに用いるアタッチ手順をコアネットワーク３２３のＳＧＳＮ（図示せず）と開始することによって組み合わさったＩＭＳＩ及びＧＰＲＳ取り付け手順を実行する。コアネットワーク３２３は、ＧＳＭモバイルネットワークなどのＣＳコアネットワーク（図示されていない）及びＧＰＲＳモバイルネットワークなどのＰＳコアネットワーク（図示されていない）を含む。ＧｓインターフェースがＣＳコアネットワークのＭＳＣ／ＶＬＲ（図示されていない）とＰＳコアネットワークのＳＧＳＮ（図示されていない）との間に存在する時、ＰＳコアネットワークは、ＩＭＳＩアタッチ要求をＭＳＣ／ＶＬＲに送信するため、組み合わさったアタッチＣＳ及びＰＳサービスに提供する。
【００２２】
ＣＳＧのメンバーの終了後、無線モバイル通信デバイス３１０は、セルラー基地局３２１を通してどんな新しい非緊急サービスも確立することができなくなる。制限されたトラッキングエリアまたは許可されていないＣＳＧに変化することにより、制限されたサービスしか提供しないセルにアタッチした無線通信デバイス３１０は、アタッチ手順を開始することができ、アタッチは、緊急サービスを受けることを示す。制限されたサービスの状態の無線通信デバイス３１０に対して緊急サービスをサポートするサービスネットワーク３２０は、規制上の要件に基づいて、緊急アタッチサービスを提供する。制限されたサービスの状態の無線通信デバイス３１０は、アクセス層（ａｃｃｅｓｓ  ｓｔｒａｔｕｍ）層のブロードキャストインジケータ（ｂｒｏａｄｃａｓｔ  ｉｎｄｉｃａｔｏｒ）から、セルが地上無線アクセス網（ＵＴＲＡＮ）全体でＩＭＳベースの緊急通話を用いた緊急サービスをサポートするかを判定し得る。ＣＳＧサブスクリプションの終了後、無線通信デバイス３１０は、非緊急サービス及び非緊急サービスの両方にアタッチし、緊急サービスのみを終了するかどうかを判定する。従来、無線通信デバイス３１０は、デタッチ要求メッセージをサービスネットワーク３２０に発し、その代わりに許可されないＣＳＧにより、デタッチ要求メッセージを受け、非緊急サービス及び緊急サービスの両方を終了することになる。結果として、無線通信デバイス３１０は、もう１つの緊急サービスを開始し、好ましくないユーザー経験となり、ネットワークの複雑さを増加させる。
【００２３】
本実施例では、確立された非緊急サービスの終了前に、制御モジュール３１２は、緊急サービスが進行中かどうかを判定し、進行中の場合、制御モジュール３１２は、緊急サービスが完了されるまで非緊急サービスのデタッチを開始せずに待機する（ステップＳ８００）。緊急サービスが進行中でない時、または緊急サービスが終了された時、制御モジュール３１２は、無線モジュール３１１を介して非緊急サービスのデタッチを示すデタッチ要求メッセージをセルラー基地局３２１に送信することによって、非緊急サービスに用いるデタッチ要求メッセージを開始する（ステップＳ８０２）。具体的に言えば、デタッチ要求メッセージが送信される。１つの実施の形態において、サービスネットワーク３２０は、ＮＭＯ−１で動作するＷＣＤＭＡシステムでもよく、デタッチ要求メッセージは、“ＩＭＳＩデタッチ”に設定したデタッチタイプインジケータ（ｉｎｄｉｃａｔｏｒ）を含み、パワーオフインジケータ（ｉｎｄｉｃａｔｉｏｎ）を含まなくてもよい。もう１つの実施の形態では、サービスネットワーク３２０は、ＬＴＥシステムでもよく、デタッチ要求メッセージは、パワーオフビット及びデタッチタイプインジケータも含んでもよい。パワーオフビットは、“通常の（ｎｏｒｍａｌ）デタッチ”に設定され、デタッチタイプインジケータは、“ＩＭＳＩデタッチ”に設定される。またもう１つの実施の形態において、非緊急サービスは、回線交換ベースであり、デタッチ要求メッセージは、ＣＳコアネットワークから非緊急サービスの切断を要求する切断要求メッセージであり得る。デタッチ要求メッセージを受信した時、制御ノード３２２は、モバイル通信デバイス３１０がＣＳＧの許可されたメンバーを有するかどうか（即ち、先のＣＳＧの許可されたメンバーがまだ有効かどうか）を判定する（ステップＳ８０４）。ＣＳＧサブスクリプションが無効である場合、制御ノード３２２は、セルラー基地局３２１を介してＣＳＧの許可されているメンバーを示すもう１つのデタッチ要求メッセージをモバイル通信デバイス３１０に送信する（ステップＳ８０６）。具体的に言えば、デタッチ要求メッセージは、インジケータに“このＣＳＧに許可されない”に設定させるＧＰＲＳ移動体マネジメント（Ｍｏｂｉｌｉｔｙ  Ｍａｎａｇｅｍｅｎｔ；ＧＭＭ）を含み得る。次いで、無線通信デバイス３１０とサービスネットワーク３２０間で緊急サービスが進行中でないため、制御ノード３２２は、非緊急サービスに用いる確立されたリソースだけを局部的に解除する（ステップＳ８０８）。確立されたリソースは、非緊急サービスに用いる回線交換呼、ＰＤＰコンテキスト、ＭＢＭＳコンテキスト、ＥＰＳベアラコンテキスト及び論理リンクを含んでもよい。サービスネットワーク３２０からのデタッチ要求メッセージに応じて、制御モジュール３１２Ｆは、非緊急サービスに用いる確立されたリソースだけを局部的に解除し（ステップＳ８１０）、次いで、無線モジュール３１１を介してデタッチ受付メッセージをサービスネットワーク３２０に送信する（ステップＳ８１２）。デタッチ手順は、サービスネットワーク３２０がデタッチ受付メッセージの受信を成功した時、終了する。ＵＭＴＳシステムでは、サー���スネットワーク３２０及び無線通信デバイス３１０は、ステップＳ８０８及びＳ８１０でそれぞれ非緊急サービスに用いるそのＰＤＰコンテキストを解除する。ＬＴＥシステムでは、サービスネットワーク３２０及び無線通信デバイス３１０は、ステップＳ８０８及びＳ８１０でそれぞれ非緊急サービスに用いるそのＥＰＳベアラコンテキストを解除する。
【００２４】
図８のデタッチ手順は、緊急サービスが進行中でない時にだけ、無線通信デバイスからサービスネットワークの非緊急サービスのデタッチを開始するため、不要な緊急サービスの終了を防ぎ、且つネットワークシング交換の複雑さを低減する。
【００２５】
図９は、本発明の実施の形態に基づくサービスネットワークによるＣＳＧサブスクリプションの終了後にデタッチ手順を処理する方法９を示している流れ図である。この実施の形態では、モバイル通信デバイスは、方法９の開始中に非緊急サービスを得るように、セルラー基地局を介してサービスネットワークにアタッチされ（Ｓ９００）、セルラー基地局は、ＣＳＧのメンバーに対して無線アクセスだけを提供するＣＳＧと関連する。モバイル通信デバイスは、緊急サービスを得るように、セルラー基地局を介してサービスネットワークに更にアタッチされてもされなくてもよい。緊急サービス及び非緊急サービスは、回線交換（ＣＳ）またはパケット交換（ＰＳ）サービスであり得る。緊急サービス及び非緊急サービスの両方ともベアラサービスまたはテレサービスであり得る。１つの実施例では、緊急サービスは、回線交換呼及びテレサービスである。もう１つの実施例では、緊急サービスは、ＩＭＳ呼、且つベアラサービスである。緊急サービスは、国家または地域（ｎａｔｉｏｎａｌ  ｏｒ  ｌｏｃａｌ）緊急センターで終了する電気通信サービスである。緊急センターの位置情報の提供は、ある国家では強制的な特徴である。ＩＭＳ緊急サービスは、アタッチタイプ“ＧＰＲＳ緊急アタッチ”によってアタッチ手順に示される。回線交換の緊急サービスは、シグナル送信（ｓｉｇｎａｌｉｎｇ）で緊急サービスの要求を示すビットを含み、シグナル送信は、特定の手順を触発し、ダイヤルした番号よりも位置に基づいて伝送する。
【００２６】
サービスネットワークにアタッチする前、またはアタッチした時、モバイル通信デバイスは、有効期間を得るようにＣＳＧのメンバーで許可される。次いで、モバイル通信デバイスは、非緊急サービスを終了することを判定し（Ｓ９０２）、よってデタッチ手順は、非緊急サービスだけからデタッチを開始することが要求される。非緊急サービスのデタッチの前に、モバイル通信デバイスは、緊急サービスが存在するかどうかを判定する（Ｓ９０４）。存在する場合、デタッチ方法９は、ステップＳ９０４に戻り、緊急サービスが進行中でなくなるまで緊急サービスの存在をチェックする。存在しない場合、モバイル通信デバイスは、ＣＳＧセルラー基地局を介してサービスネットワークに送信される非緊急サービスのデタッチを示すデタッチ要求メッセージを開始する（ステップＳ９０６）。１つの実施の形態では、サービスネットワークは、ＷＣＤＭＡシステムであり得、モバイル通信デバイスは、ＴＳ２４．００８仕様及びＷＣＤＭＡ技術の他の関連した仕様に準拠したユーザー端末でもよい。従って、デタッチ要求メッセージは、パワーオフインジケータ（ｉｎｄｉｃａｔｉｏｎ）のないデタッチ要求メッセージでもよく、“ＩＭＳＩデタッチ”に設定したデタッチタイプインジケータ（ｉｎｄｉｃａｔｏｒ）を含む。もう１つの実施の形態では、サービスネットワークは、ＬＴＥシステムであり得、モバイル通信デバイスは、ＴＳ２４．３０１仕様及びＬＴＥ  技術の他の関連した仕様に準拠したユーザー端末でもよい。従って、デタッチ要求メッセージは、パワーオフビット及びデタッチタイプインジケータを含むデタッチ要求メッセージでもよく、パワーオフビットは、“通常の（ｎｏｒｍａｌ）デタッチ”に設定され、デタッチタイプインジケータは、“ＩＭＳＩデタッチ”に設定される。モバイル通信デバイスは、回線交換及びパケット交換電気通信技術の仕様に準拠したユーザー端末でもよく、本発明はこれを限定するものではない。最後に、方法９は、非緊急サービスのデタッチ手順に対して完了されて終了する。
【００２７】
サービスネットワークは、ＣＳＧの許可されているメンバーを有するかどうかを判定する。注意するのは、モバイル通信デバイスに先にＣＳＧの許可されたメンバーは、サービスネットワークがデタッチ要求メッセージを受信する前に、無効になる（即ち、ＣＳＧの許可されたメンバーの有効期間が経過している）。モバイル通信デバイスが非緊急サービスだけにアタッチされ、ＣＳＧの許可されたメンバーを有さないため、サービスネットワークは、非緊急サービスに用いる確立されたリソースだけを局部的に解除する。具体的に言えば、確立されたリソースは、非緊急サービスに用いるＰＤＰコンテキスト、ＭＢＭＳコンテキスト、ＥＰＳベアラコンテキスト、及び論理リンクを含んでもよい。１つの実施の形態では、サービスネットワークは、次いでＣＳＧセルラー基地局を介して、許可されないＣＳＧのメンバーを示すもう１つのデタッチ要求メッセージをモバイル通信デバイスに送信し得るため、モバイル通信デバイスは、モバイル通信デバイスによって発されたデタッチ要求に応じて非緊急サービスに用いる確立されたリソースを解除し得る。モバイル通信デバイスは、ＣＳＧセルラー基地局を介して、サービスネットワークに応じてデタッチ受信メッセージを更に送信し、デタッチ手順を終了し得る。具体的に言えば、サービスネットワークがＷＣＤＭＡシステムまたはＬＴＥシステムの場合、デタッチ要求メッセージは、インジケータに“このＣＳＧに許可されない”に設定させる移動体マネジメント（ＧＭＭ）を含んでもよく、デタッチ受付メッセージは、デタッチ受付メッセージでもよい。もう１つの実施の形態では、サービスネットワークは、次いでＣＳＧセルラー基地局を介して、デタッチ受付メッセージをモバイル通信デバイスに送信し得るため、モバイル通信デバイスは、デタッチ要求の受信に応じて非緊急サービスに用いる確立されたリソースだけを解除し、デタッチ手順９を終了し得る。
【００２８】
よって、デタッチ手順９は、緊急サービスが進行中でない時にだけ、無線通信デバイスからサービスネットワークの非緊急サービスのデタッチを開始し、緊急サービスを中断することなく、サービスネットワークから非緊急サービスをデタッチする方法を提供する。
【００２９】
この発明は種々の態様を例として記述されているが、これは本発明を限定するものではないことは理解される。本発明の精神及び範囲を逸脱しない限りにおいては、当業者であれば行い得る少々の変更や修飾を付加することが可能である。例えば、ＣＳＧ仕様の終了後にデタッチ手順を処理する方法は、ＬＴＥ−Ａｄｖａｎｃｅｄ技術、またはＷＣＤＭＡ／ＬＴＥ技術家族の任意の進化技術に準拠しているモバイル通信デバイス及びサービスネットワークにも用いられ得る。よって、本発明の範囲は、以下の請求項及びそれらの等価によって定義されて保護されるものとする。
【符号の説明】
【００３０】
３００  モバイル通信環境
３１０  モバイル通信デバイス
３１１  無線モジュール
３１２  制御モジュール
３２０  サービスネットワーク
３２１  セルラー基地局
３２２  制御ノード
３２３  コアネットワーク
【図１】
2011254462.tif 000003
【図２】
2011254462.tif 000004
【図３】
2011254462.tif 000005
【図４】
2011254462.tif 000006
【図５】
2011254462.tif 000007
【図６】
2011254462.tif 000008
【図７】
2011254462.tif 000009
【図８】
2011254462.tif 000010
【図９】
2011254462.tif 000011
【外国語明細書】
2011254462000001.pdf
2011254462000002.pdf
2011254462000003.pdf
2011254462000004.pdf